(57)【要約】      （修正有）【課題】土台の取付けが簡単で、本体を車椅子に装着したまま車椅子ごと折り畳むことができ、また、外したときも本体をコンパクトに収納することができる車椅子用雨除け具を提供する。【解決手段】雨除け具は、本体部１と土台部から成り、本体部１は、着座部の上方に横方向に橋架された複数のフレーム１１と、フレーム１１に張設された透明のシート１２と、複数のフレーム１１の各端部を回動自在に枢結し、本体部１を土台部に着脱自在に装着させる一対の取付け具とを有し、複数のフレーム１１は長手方向中央に配設されたヒンジ式の関節により折曲可能である。また、雨除け具は、土台部はバンドを有し、バンドを車椅子３の肘当て用支柱に巻き付けることにより、工具を使用せずに土台部を車椅子３の肘当て用支柱に着脱自在に取り付けることが可能である。【選択図】図６
0003209465.tif 000002
【実用新案登録請求の範囲】
【請求項１】
車椅子の肘当て用支柱に取付けて使用する雨除け具であって、本体部と土台部から成り、前記本体部は、
車椅子着座部の上方に横方向アーチ状に橋架された複数のフレームと、
前記フレームに張設された透明のシートと、
前記複数のフレームの各端部を回動自在に集束させて前記本体部を前記土台部に着脱自在に装着させる一対の取付け具と、
を有し、
前記複数のフレームは長手方向中央に配設されたヒンジ式の関節により折曲可能であることを特徴とする雨除け具。  
【請求項２】
前記土台部はバンドを有し、前記バンドを前記車椅子の前記肘当て用支柱に巻き付けることにより、工具を使用せずに前記土台部を前記車椅子の前記肘当て用支柱に着脱自在に取り付けることが可能であることを特徴とする請求項１記載の雨除け具。
【考案の詳細な説明】
【技術分野】
【０００１】
本考案は、車椅子に取付けて使用する雨除け具に関する。
【背景技術】
【０００２】
車椅子利用者の雨除け具としては、レインコートを着用して車椅子に乗るか、椅子全体を覆うビニールを頭からすっぽりと被るポンチョ風のものが用いられていた。
【０００３】
近年は、アーチ状のフレームに張られたビニールシートであって、蛇腹式に前後に開閉する、車椅子専用の雨除け具が市販されている。
【先行技術文献】
【特許文献】
【０００４】
【特許文献１】特開２００３−２３０６０３号
【考案の概要】
【考案が解決しようとする課題】
【０００５】
車椅子の利用者にとって、レインコートの装着は労を要する。また、車椅子ごと被うポンチョ風のビニールは、風に流されたり、車輪に絡まったりして、具合がよくない。
【０００６】
特許文献１には、車椅子の支柱に取付けたコの字状のフレームに張った透明シートが頭上で前後に回動・開閉する、蛇腹式の雨除けカバーについての発明が開示されている。現在市販の車椅子専用雨除けシートは、支柱に取付けて蛇腹を回動させる点において、前記発明の技術を基礎としている。
【０００７】
しかしながら、特許文献１の雨除けカバーと、現在市販されている雨除けシートには、以下の３点の問題があった。第１に雨除けを装着した状態で車椅子ごと折り畳むことができないため、出先で車椅子を畳む必要が生じたときには、その都度雨除けを外す作業が必要であったこと、第２に車椅子から取り外した雨除け本体は、フレームを前後方向にまとめる形で収納することはできるが、フレーム自体のアーチ形状を崩すことができないため、それ以上は小さく畳むことができず、収納時に大きな保管スペースが必要であったこと、第３に雨除け本体を装着するための土台の取付けに工具が必要であっため、雨除けを使用しないときも土台を外すことが困難で、土台の取付け場所によっては利用者の邪魔になっていた、ことである。
【０００８】
上述の問題に鑑み、本考案においては、土台の取付けが簡単で、本体を車椅子に装着したまま車椅子ごと折り畳むことができ、また、外したときも本体をコンパクトに収納することができる車椅子用雨除け具を提供することを課題とする。
【課題を解決するための手段】
【０００９】
上記課題を解決するために、請求項１に係る雨除け具は、本体部と土台部から成り、前記本体部は、着座部の上方に横方向に橋架された複数のフレームと、前記フレームに張設された透明のシートと、前記複数のフレームの各端部を回動自在に枢結し、前記本体部を前記土台部に着脱自在に装着させる一対の取付け具とを有し、前記複数のフレームは長手方向中央に配設されたヒンジ式の関節により折曲可能であることを特徴とする。前記関節を有するフレームにより、前記雨除け具本体は、前後方向のみならず、左右方向にも折り畳み収納することができる。
【００１０】
請求項２に係る雨除け具は、請求項１に係る雨除け具において、前記土台部はバンドを有し、前記バンドを前記車椅子の前記肘当て用支柱に巻き付けることにより、工具を使用せずに前記土台部を前記車椅子の前記肘当て用支柱に着脱自在に取り付けることが可能であることを特徴とする。工具を使用せずに土台を支柱に取付けることができるため、雨除け具を使用しないときには土台を支柱に付けたままにしておく必要がなくなる。
【考案の効果】
【００１１】
関節を有するフレームの採用により、雨除け具本体を左右方向にも折り畳むことができるようになったため、雨除け具を装着したまま車椅子ごと横方向に折り畳むことが可能となった。これにより、雨天の日に出先で車椅子を畳まねばならないときに、いちいち雨除け具を車椅子から外すという迂遠な作業をせずに済むようになった。また、本体取り外し時に、アーチ形状を崩して収納することが可能となったことから、雨傘程度のスペース内に雨除け具本体を保管できるようになった。
【００１２】
工具を使用せず、バンドの巻き付けによって土台を支柱に取付けることができるため、雨除け具を使用しないときには、簡単に土台を支柱から外すことが可能となった。これにより、雨除け具不使用時に、支柱に取付けたままの土台が利用者または援助者の邪魔になることがなくなった。
【図面の簡単な説明】
【００１３】
【図１】雨除け具を車椅子に装着し展開した状態を示す略側面図である。
【図２】雨除け具を後方向に折り畳んだ状態を示す略側面図である。
【図３】雨除け具を車椅子に装着し展開した状態を示す略斜視図である。
【図４】雨除け具を後方向に折り畳んだ後、車椅子とともに横方向に折り畳んだ状態を示す略斜視図である。
【図５】雨除け具本体部の取付け部及び土台部の斜視図である。
【図６】雨除け具を後方向に折り畳んだ後、車椅子とともに横方向に折り畳んだ状態を示す写真である。
【考案を実施するための形態】
【００１４】
以下、本考案に係る車椅子用雨除け具の実施形態について図を用いて説明する。本実施形態の雨除け具（以下、「本雨除け具」という。）は、請求項２記載の雨除け具である。
【００１５】
本雨除け具は、図１に示すように、本体部１と土台部２より成る。本体部１は、アーチ状のフレーム１１に透明のビニールシートが張られている。本実施形態では、４本のフレームが取付け具１３に回動自在に枢設され、蛇腹式に展開又は閉収する構成となっている。図１が開いた状態、図２が閉じた状態を示す。
【００１６】
図５に示すように、土台部２は、基台２、押さえ２２及びツメ２３を有し、  本体部を装着する際は、基台２と押さえ２２間に取付け部１３を挿し込み、ツメ２３で仮固定する構成となっている。これにより、本体部１は土台部２に着脱自在に装着される
【００１７】
本考案の第１の特徴は、図３に示すように、フレーム１１の長手方向中央にヒンジ式の関節１１１が配設され、天頂部分で折曲可能となっていることである。この構成により、雨除け本体部１を車椅子３に装着させたまま、車椅子３を横方向に畳むことが可能となった（図４）。図６は雨除けを装着したまま車椅子を畳んだ状態を示す写真である。
【００１８】
本考案の第２の特徴は、土台部２を車椅子の肘当て用支柱３１に取り付けるときに工具を使用する必要がないことである。すなわち、図５に示すように、土台部２の基板２１にはバンド２４が係着され、土台部２を車椅子３に取り付ける際には、バンド２４を肘当て用支柱３１に巻着して締めればよい。取り外しの際は、バンド２４を緩める。
【００１９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、フレーム１１の具体的形状や数は適宜変えることが可能である。また、土台部２については、バンド２４を有することを条件に、本実施形態で採用したツメ押さえ方式とは異なる構成とすることができる。これら本実施形態と異なる実施についても、実用新案登録請求の記載と違わない限りにおいて、本考案の技術的範囲に含まれるものと解する。
【符号の説明】
【００２０】
１      本体部
１１    フレーム
１１１  関節
１２    シート
１３    取付け具
２      土台部
２１    基台
２２    押さえ
２３    ツメ
２４    バンド
３      車椅子
３１    肘当て用支柱
【図１】
0003209465.tif 000003
【図２】
0003209465.tif 000004
【図３】
0003209465.tif 000005
【図４】
0003209465.tif 000006
【図５】
0003209465.tif 000007
【図６】
0003209465.tif 000008